(57)【特許請求の範囲】
【請求項１】
第一、第二の互いに組み合うハウジング部を有する、軸方向に延びるフィルタハウジングであって、前記第一、第二ハウジング部の内の一方は向かい合う軸方向端部の間で軸方向に延びる本体であり、かつ他方は前記本体の前記軸方向端部の一方に対して、軸方向に保持力を加える回転固定式構造を用いて取付けられるカバーであり、前記回転固定式構造の前記保持力は、互いに向かい合って軸方向に移動し、継続して前記軸に対して第一回転方向に回転した前記本体とカバーを軸方向に組付けた状態に保ち、この際、前記回転固定式構造は前記本体とカバーを互いに対して軸方向に移動することを許容する第一位置を有し、そして前記回転固定式構造は前記第一回転方向に沿って前記第一位置から第二位置まで回転自在であり、前記回転固定式構造は前記第二位置では前記本体とカバーが互いに対して軸方向に移動することを防ぎ、そして前記回転固定式構造は第二回転方向に沿って前記第二位置から前記第一位置まで回転自在であり、この際、前記第二回転方向は前記第一回転方向と逆方向であり、さらに前記第一ハウジング部にアームを取付けて備える回転防止用固定構造を備え、前記アームを前記回転方向に沿って部分的に周囲に延ばしかつ前記第二ハウジング部と解除自在式に係合させ、前記回転方向の垂直方向で前記アームに沿った方向に回転保持力を加えて、前記回転固定式構造を前記第二位置に保持し、前記アームは間隔を置いて離れる第一、第二端部の間に延び、前記第一端部は前記第一ハウジング部と一体形成され、前記アームは前記軸方向と平行でかつ前記回転方向と前記保持力の方向に対して垂直な折曲線に沿って撓み、事故による不本意な解除の発生を防ぐため、前記アームと隣接して前記第一ハウジング部からラジアル方向外側に延びるように保護部を備え、前記保護部は外側ガード部を前記アームに沿って部分的に周囲に延ばしかつ前記アームのラジアル方向外側に配置して、前記アームのラジアル方向外側に向かう移動を抑制して、前記アームが必要以上に撓むことを防ぐようにしたことを特徴とするフィルタハウジング。
【請求項２】
前記アームの前記第二端部は前記第二ハウジング部と係合するフック部を備え、該フック部は前記軸に対してラジアル方向に延びかつ前記アームの前記第一端部と対面する第一停止面を備え、前記第二ハウジング部は前記軸に対してラジアル方向に延びかつ前記アームの前記第一端部と背面する第二停止面を備え、前記第一及び第二停止面は前記回転固定式構造の前記第二位置で互いに噛合して前記回転保持力を提供し、前記アームは解除自在式に前記折曲線に対して手動式に撓み、前記第一停止面を前記第二停止面の作動範囲からラジアル方向外側に出して前記第一及び第二停止面の噛合を外し、前記回転固定式構造を前記第二位置から前記第一位置まで回転させることを特徴とする請求項１に記載のフィルタハウジング。
【請求項３】
前記第一ハウジング部は前記フック部とラジアル方向に並ぶ第一スロットを備え、かつ該第一スロット内に前記フック部を挿入させ、前記第二ハウジング部は第二スロットを備え、該第二スロットは前記第一、第二ハウジング部を回転させる際に前記第一スロットと軸方向に並び、前記フック部は前記第一スロットと前記第二スロット内に挿入して、前記回転固定式構造を前記第二位置に保持するように前記回転保持力を提供し、前記アームは手動操作によって前記折曲線に対して撓んで前記フック部を前記第二スロットからラジアル方向外側に出して、前記回転固定式構造を前記第二位置から前記第一位置まで回転移動させることを特徴とする請求項２に記載のフィルタハウジング。
【請求項４】
前記ガード部は隙間を挟んで前記アームのラジアル方向外側の上方に配置されるが、この際、前記ガード部の前記アームからのラジアル方向の高さの大きさは、前記フック部の前記第二スロット内に挿入されるラジアル方向の深さの大きさよりも大きいことを特徴とする請求項１〜３のいずれかに記載のフィルタハウジング。
【請求項５】
前記アームは突出部を前記フック部から突出させて備え、この際前記保護部は外側ガード部を備えるが、該ガード部のラジアル方向の高さは前記アームの前記第二位置における高さよりも実質的に大きくなく、前記ガード部は前記突出部のラジアル方向外側かつ前記突出部のラジアル方向外側に向う移動経路上に配置されて、前記アームのラジアル方向外側に向う移動を抑制して、前記アームが必要以上に撓むのを防ぐことを特徴とする請求項１〜３のいずれかに記載のフィルタハウジング。
【請求項６】
前記ガード部は前記アームと並びかつ離れて配置されることを特徴とする請求項５に記載のフィルタハウジング。
【請求項７】
前記ガード部は隙間を置いて前記突出部のラジアル方向外側の上方に配置されるが、この際、前記ガード部のラジアル方向の高さの大きさは、前記フック部の前記第二スロット内に挿入されるラジアル方向の深さの大きさよりも大きいことを特徴とする請求項５に記載のフィルタハウジング。
【請求項８】
第一、第二の互いに組み合うハウジング部を有する、軸方向に延びるフィルタハウジングであって、前記第一、第二ハウジング部の内の一方は向かい合う軸方向端部の間で軸方向に延びる本体であり、かつ他方は前記本体の前記軸方向端部の一方に対して、軸方向に保持力を加える回転固定式構造を用いて取付けられるカバーであり、前記回転固定式構造の前記保持力は、互いに向かい合って軸方向に移動し、継続して前記軸に対して第一回転方向に回転した前記本体とカバーを軸方向に組付けた状態に保ち、この際、前記回転固定式構造は前記本体とカバーを互いに対して軸方向に移動することを許容する第一位置を有し、そして前記回転固定式構造は前記第一回転方向に沿って前記第一位置から第二位置まで回転自在であり、前記回転固定式構造は前記第二位置では前記本体とカバーが互いに対して軸方向に移動することを防ぎ、そして前記回転固定式構造は第二回転方向に沿って前記第二位置から前記第一位置まで回転自在であり、この際、前記第二回転方向は前記第一回転方向と逆方向であり、さらに前記第一ハウジング部にアームを取付けて備える回転防止用固定構造を備え、前記アームを前記回転方向に沿って部分的に周囲に延ばしかつ前記第二ハウジング部と解除自在式に係合させ、前記回転方向の垂直方向で前記アームに沿った方向に回転保持力を加えて、前記回転固定式構造を前記第二位置に保持し、前記アームは間隔を置いて離れる第一、第二端部の間に延び、前記第一端部は前記第一ハウジング部と一体形成され、前記アームは前記軸方向に平行でかつ前記回転方向と前記保持力の方向に対して垂直な折曲線に沿って撓み、前記アームは前記第一端部に第一固定端部と前記第二端部に第二自由端部を有する片持ち式アームであって、該アームは両端から反対方向に、軸方向に延びる一対のつまみ部を備えて、使用者が指を用いてこのつまみ部をつまめるように手動式操作を可能にして、前記つまみ部を操作することによって前記アームをラジアル方向外側に向かって引き出して、前記回転固定式構造を前記第二位置から前記第一位置まで回転移動させることを特徴とするフィルタハウジング。
【請求項９】
事故による不本意な解除が発生するのを防ぐために、前記アームと隣接して保護部を前記第一ハウジング部からラジアル方向外側に延ばして備え、この際、前記保護部は外側ガード部を前記回転方向に沿って部分的に周囲に延びかつ前記アームのラジアル方向外側に隙間を置いて備えて、前記アームのラジアル方向外側に向かう移動を抑制して、前記アームが必要以上に撓むことを防ぐことを特徴とする請求項８に記載のフィルタハウジング。
【請求項１０】
前記アームは突出部を前記フック部から突出させて備え、また前記保護部は外側ガード部を前記アームと並びかつ前記アームから離して備え、かつ前記外側ガード部を前記突出部のラジアル方向外側でかつ前記突出部のラジアル方向の移動経路上に配置して、前記アームのラジアル方向外側に向う移動を抑制して、前記アームが必要以上に撓むことを防ぐことを特徴とする請求項８に記載のフィルタハウジング。
【請求項１１】
前記アームは突出部を前記フック部から突出させて備え、かつ前記保護部は外側ガード部を備え、該ガード部のラジアル方向の高さは前記アームの前記第二位置における高さよりも実質的に大きくなく、かつ前記外側ガード部を前記突出部のラジアル方向外側でかつ前記突出部のラジアル方向の移動経路上に配置して、前記アームのラジアル方向外側に向う移動を抑制して、前記アームが必要以上に撓むことを防ぐことを特徴とする請求項８に記載のフィルタハウジング。
【発明の詳細な説明】
【０００１】
【発明の属する技術分野】
本発明はフィルタハウジングに関するものである。より特徴的には、本発明は回転固定式フィルタハウジングに関するものであり、具体例としてプラスチック製空気清浄器を挙げることができる。
【０００２】
【従来の技術】
従来技術上、回転固定式フィルタハウジングは公知であり、この内、プラスチック製空気清浄器用の回転固定式ハウジングがある。これらハウジングは、典型的にナットとボルト、オーバセンタラッチ、ヒンジ、回転防止用スライディング式固定装置、またはこれらの組合せを用いて、カバーと本体を互いに組み合わせて固定している。
【０００３】
【発明が解決しようとする課題】
本発明はこの点に鑑みてなされたものであり、カバーを本体に固定する、簡単で経済的な回転固定式フィルタハウジングを提供することを目的とする。さらに好適には、固定機構をハウジングと別体に用意する従来技術の回転固定システムと比較して、本発明は構成要素の削減を可能にし、かつ簡単で経済的な回転固定式フィルタハウジングを提供することを目的とする。
【０００４】
さらに、本発明は、軸方向にカバーと本体を保持する回転固定式構造と、回転方向にカバーと本体を解除自在式に保持する回転防止用固定構造を組合せてフィルタハウジングを構成することを目的とする。尚、この回転防止用固定構造は、回転固定式構造を軸方向に組付けた状態で解除自在式に保持する。特に好ましくは、上記構造の各々を、プラスチック製空気清浄器用のハウジングの本体またはカバーと一体形成する。このため、従来技術では別体の固定具等を本体とカバーの両方またはいずれか一方に取付けていたことと比較して、本発明はこのような追加の固定具等を必要としないため、さらなる部材の削減を可能にすることを目的とする。
【０００５】
さらに、本発明は、ハウジング部にアームを固定して備えかつ該アームをハウジングの中心軸と平行な折曲線に対して撓むように備えた回転防止用固定構造を提供することを目的とする。
【０００６】
【課題を解決するための手段】
本発明は上記課題を解決するための手段として、本発明に係る好適な実施の形態は、第一、第二の互いに組み合うハウジング部を有する、軸方向に延びるフィルタハウジングであって、前記第一、第二ハウジング部の内の一方は向かい合う軸方向端部の間で軸方向に延びる本体であり、かつ他方は前記本体の前記軸方向端部の一方に対して、軸方向に保持力を加える回転固定式構造（または回転式固定構造）を用いて取付けられるカバーであり、前記回転固定式構造の前記保持力は、互いに向かい合って軸方向に移動し、継続して前記軸に対して第一回転方向に回転した前記本体とカバーを軸方向に組付けた状態に保ち、この際、前記回転固定式構造は前記本体とカバーを互いに対して軸方向に移動することを許容する第一位置を有し、そして前記回転固定式構造は前記第一回転方向に沿って前記第一位置から第二位置まで回転自在であり、前記回転固定式構造は前記第二位置では前記本体とカバーが互いに対して軸方向に移動することを防ぎ、そして前記回転固定式構造は第二回転方向に沿って前記第二位置から前記第一位置まで回転自在であり、この際、前記第二回転方向は前記第一回転方向と逆方向であり、さらに前記第一ハウジング部にアーム（または係止部）を取付けて備える回転防止用固定構造（または回転防止構造）を備え、前記アームを前記回転方向に沿って部分的に周囲に延ばしかつ前記第二ハウジング部と解除自在式に係合させ、前記回転方向の垂直方向で前記アームに沿った方向に回転保持力を加えて、前記回転固定式構造を前記第二位置に保持し、前記アームは間隔を置いて離れる第一、第二端部の間に延び、前記第一端部は前記第一ハウジング部と一体形成され、前記アームは前記軸方向と平行でかつ前記回転方向と前記保持力の方向に対して垂直な折曲線（または曲線）に沿って撓み、事故による不本意な解除の発生を防ぐため、前記アームと隣接して前記第一ハウジング部からラジアル方向外側に延びるように保護部を備え、前記保護部は外側ガード部を前記アームに沿って部分的に周囲に延ばしかつ前記アームのラジアル方向外側に配置して、前記アームのラジアル方向外側に向かう移動を抑制して、前記アームが必要以上に撓むことを防ぐようにしたことを特徴とする。
【０００７】
【発明の実施の形態】
本発明に係る特徴並びに発明の要点は、詳細な説明、請求項、並びに図面を参照することにより、より明瞭に理解される。
【０００８】
まず、図１〜図５を参照して、本発明の実施の形態に係るフィルタハウジング１２について説明する。図１に示すように、フィルタハウジング１２は軸１４方向に延び、そして矢印１８で示す汚染空気の取り込み用の吸入口１６と、矢印２２で示すろ過した浄化空気の排出用の吹出口２０を備える。そして図３に示すように、汚染空気をハウジング内の環状領域２４内に流入させ、さらに環状ろ過素子２６内をラジアル方向内側に流して中空室２８内に流入させる。そして、ろ過した空気を図３に示すように軸方向右側に流して吹出口２０から流出させる。このろ過素子２６は、末端の両エンドキャップ３０、３２に対して埋め込まれる環状のひだ付きろ材を用いて構成される。尚、好ましくは、これらエンドキャップは従来技術で公知なようにウレタンのような圧縮性部材から形成される。本発明の実施の形態に係るハウジングは、第一ハウジング部と第二ハウジング部を互いに組付けて形成するが、具体的にはこれら部材はカバー３４と本体（ベース）３６に相当する。本体３６は末端の向かい合う軸方向端部３８と４０の間で延び、カバー３４は本体３６の軸方向端部３８に対して回転固定式構造４２を用いて、図２に示すように組付けられる。この方法の詳細については後述するが、まず本体３６とカバー３４を互いに向かい合うように軸方向に移動させて両者を軸方向に組付ける。そして図４に示すように軸１４に対して第一回転方向４４に沿って、例えば図１の矢印４４に示すようにカバー３４を時計方向に回転させるように行う。尚、図３に示すように、この組付状態でエンドキャップ３０と３２を軸方向に圧縮させて密封して、中空室２８を覆うフィルタの周りで汚染空気が環状領域２４から迂回して漏れることを防ぐ。カバー３４はエンドキャップ３０を係合させて固定し、そして本体３６はエンドキャップ３２を係合させて固定する。さらに、当業者には公知なように、カバー３４にドレイン弁４８とともにドレイン出口４６を備えて、ろ過工程中に生じた液体等の残留物を環状領域２４内から外部に排出する（図１参照）。
【０００９】
図２に示すように、回転固定式構造４２は複数のフック５０をカバー３４上に備え、これらフック５０を本体３６上の複数の止め部５４のいずれかに対して係合させる。ただし、これら止め部５４は本体３６の端部３８を環状に隆起させてリム５８を形成しかつここにスロットを開けることで形成される。従って、図２を参照して、カバー３４を軸方向右側にスライドさせると、フック５０は軸方向にスロット５４内を通り、また他のフックも同様に軸方向にスロット５４内を通る。そして図１及び図４の矢印４４に示すようにカバー３４を軸１４に対して回転もしくは旋回させて、図４に示すようにフック５０の先端６０を、符号５８に示すリムの裏面６２に対して、軸方向右側に沿ってかつ間を抜けるようにスライドさせる。同様にして、残りのフックもリム５８の裏面６２に対してスライドさせる。ただし、これらフックの個数を適宜変更して、ハウジング周囲のバランスを保つように軸方向の保持力を定めるものとする。また、本発明に係る他の実施の形態では、フック５０を本体３６に取付け、そして止め部５４をカバー３４に備えてもよい。そして、カバー３４を本体３６に対して軸方向に挿入し、継続して回転させることで本体とカバーを軸方向に組付けた状態で保持できるように、上述した軸方向の保持力を定める。図５に示すように、回転固定式構造が第一位置にある場合には、本体とカバーは互いに対して軸方向に移動できる。そして、図４に示すように、回転固定式構造を第一方向４４に沿って回転させて上記第一位置を第二位置まで移動させて、回転固定式構造を第二位置に移動させると、図４に示すように、本体とカバーは互いに対して軸方向に移動することが回転固定式構造によって防がれる。ただし、図５に示すように、回転固定式構造は第二回転方向６４に沿って回転自在であり、このため固定状態の第二位置（第二固定位置）を非固定状態の第一位置（第一非固定位置）まで移動することができる。この回転方向６４は、上記回転方向４４の逆方向である。このようにして、図１、図４及び図５に示すように、カバー３４を回転方向４４に沿って回転させて第二固定位置に移動させ、そして回転方向６４に沿って回転させて第一非固定位置まで移動させる。この非固定位置では、図５に示すように、軸方向左側に向かう矢印６６に沿って、カバー３４を本体３６から分離することが可能になる。
【００１０】
図１及び図２に示す回転防止用固定構造７０は、上記第二固定位置で回転固定式構造を保持するように回転保持力を提供する。この回転防止用固定構造７０は図２に示すように、互いに反対方向に延びる一対のアーム７４、７６を一体形成したシーソー部７２を支柱部（てこ台）７８でカバー３４上に一体形成することで形成される。アーム７４はカバー３４の周囲に沿って部分的に延び、本体３６の隆起した環状リム５８に形成した複数のスロット８０の内の１つの中に挿入して、本体３６と解除自在式に係合する。この際、アーム７４に沿って上記回転方向の垂直方向に回転保持力を加えて、図６及び図４に示すように、回転固定式構造４２を上記第二固定位置に保持する。
【００１１】
図６に示すように、アーム７４は間隔を置いて離れる第一、第二端部８２、８４の間に延びる。この際、端部８２は支柱部７８でカバー３４と一体形成される。また、図７に示すように、アーム７４は支柱部７８を支点として、折曲線に沿って撓むことができる。この折曲線は軸１４方向と平行でかつ上記回転方向及び上記保持力の方向に対して垂直である。他方、アーム７６は間隔を置いて離れる第一、第二端部８６、８８の間で上記回転方向に沿って部分的に延びる。ただし、端部８６と端部８２は同一部分を共有し、各々支柱部７８でカバー３４と一体形成される。このように、アーム７６を支柱部７８からアーム７４と反対方向に延ばして、シーソー部７２を形成する。従って、図７の矢印９０に示すように、アーム７６の端部８８に内側に向かう力を加えると、同図の矢印９２に示すように、アーム７４の端部８４は外側に向かう。この動作を利用して回転固定式構造４２を解除させて、図４及び図６に示した第二固定位置を、図５及び図７に示した第一非固定位置に向かって回転させる。
【００１２】
図６に示すように、アーム７４は端部８４にフック部９４と停止面９６を軸１４に対してラジアル方向に延ばしかつアーム７４の端部８２と対面するように形成する。また、本体３６は停止面９８を軸１４に対してラジアル方向に延ばしかつアーム７４の端部８２と背面するように備える。従って、回転固定式構造４２を上記第二固定位置に移動させると、これら停止面９６と９８は互いに噛合するため上記回転保持力が形成される。また、図７に示すように、手動式に支柱部７８を支点としてアーム７４を上記折曲線に沿って撓ませることで停止面９６と９８の噛合を外すことができる。この操作は、図７の矢印９２に示すように、停止面９６を本体３６の隆起した環状リム５８のスロットまたは溝８０に形成した停止面９８の作動範囲からラジアル方向外側に出して、回転固定式構造４２を図４及び図６に示した第二固定位置から図５及び図７に示した第一非固定位置まで回転させるように行う。
【００１３】
図７に示すように、カバー３４にスロットまたは溝１００を形成して、この中にアーム７４のフック部９４をラジアル方向に挿入する。本体３６は上述したように複数のスロットまたは溝８０を備えるが、これらスロットまたは溝８０は隆起した環状リム５８からラジアル方向外側に面するため、カバーと本体を回転させると、スロット１００と軸方向に並ぶ。この状態でアーム７４のフック部９４をスロット１００及び対応するスロット８０の１つの中に挿入すると、上記回転保持力が形成されて、回転固定式構造４２は図４及び図６に示した第二固定位置に保持される。そして上述したように、支柱部７８を支点としてアーム７４を折曲線に沿って手動式に撓ませると、フック部９４はスロット８０からラジアル方向外側に向かって移動し、回転固定式構造４２は上記第二固定位置から上記第一非固定位置まで移動可能になる。この手動操作は様々な手段から行われるが、例えば図７の矢印９０に示すようにアーム７６を手動式に内側に向かって押し込むことによって矢印９２に示すようにアーム７４をラジアル方向外側に向かって撓ませてもよい。あるいは、使用者の指にて直接アーム７４を掴み、該アーム７４をラジアル方向外側に向かって引き出してもよい。尚、事故による不本意な解除の発生を防ぐため、アーム７４と７６に隣接してカバー３４からラジアル方向外側に向かう一対の保護部１０２、１０４を形成する（図６、図７参照）。ただし、保護部１０２は隙間を挟んでアーム７４の端部８４と隣接し、また保護部１０４は隙間を挟んでアーム７６の端部８８と隣接する。
【００１４】
次に、図８〜図１０を参照して、本発明に係る他の実施の形態について説明する。尚、理解の容易化を図るため、既に説明した部材については、同一の参照番号を用いて説明する。図８〜図１０は、本発明の他の実施形態に係る回転防止用固定構造１１０について示しており、この構造１１０は第一固定端部１１４と第二自由端部１１６を有する片持ち式アーム（cantilever arm）１１２を備える。アーム１１２はカバー３４ａの周囲に沿って部分的に回転方向に延び、本体３６と解除自在式に係合する。この際、上述したアーム７４と同様に、アーム１１２は上記回転方向の垂直方向に、アーム１１２に沿った方向に回転保持力を加えて、回転固定式構造４２を図４及び図９に示すような第二固定位置に保持する。また、アーム１１２は隙間を挟んで離れた端部１１４、１１６の間に延び、この際、端部１１４は上述した支柱部７８と同様に、ヒンジ１１８でカバー３４ａと一体形成され、そして図１０に示すようにアーム１１２はヒンジ１１８を支点として折曲線に沿って撓む。尚、この場合折曲線は軸１４に対して平行でかつ上記回転方向及び上記保持力の方向に対して垂直である。
【００１５】
図９に示すように、アーム１１２の自由端部１１６にフック部１２０を形成して本体３６と係合させる。該フック部１２０は停止面１２２を軸１４に対してラジアル方向に延ばしかつアーム１１２の端部１１４と対面するように備える。また、本体３６は停止面９８を軸１４に対してラジアル方向に延ばしかつアーム１１２の端部１１４と背面するように備える。図４及び図９に示すように、停止面１２２と９８は回転固定式構造４２の上記第二固定位置で互いに噛合して、上述した回転保持力を提供する。図１０の矢印１２４に示すように、手動式にアーム１１２を上記折曲線に対して撓ませて、停止面１２２を停止面９８の作動範囲から出るようにラジアル方向外側に向かって移動させることにより、同図に示すように停止面１２２と９８の噛合を外すことができる。故に、回転固定式構造を図４及び図９に示した上記第二固定位置から図５及び図１０に示した上記第一非固定位置まで回転移動することが可能になる。このため、図８に示すように、アーム１１２の両端から反対方向に、軸方向に延びる一対のつまみ部１２６と１２８を備えて、使用者が指を用いてこのつまみ部をつまめるようにして、手動操作を可能にする。このように、上記つまみ部１２６、１２８を操作してアーム１１２の自由端部１１６をラジアル方向外側に向かって引き出して、回転固定式構造を上記第二固定位置から上記第一非固定位置まで回転移動させる。カバー３４ａのスロット１００はフック部１２０とラジアル方向に並びかつ内部にフック部１２０を挿入させる。そしてカバーと本体を回転させると、本体３６の隆起した環状リム５８に形成したスロットまたは溝部８０はスロット１００と軸方向に並ぶ。この状態で、フック部１２０をスロット１００及び複数のスロット８０の内の１つの中に挿入させると、上記回転保持力が形成されて、回転固定式構造は第二固定位置に保持される。そして、図１０の矢印１２４に示すように、手動式にアーム１１２を上記折曲線に対して撓ませて、フック部１２０をラジアル方向外側に向かってスロット８０内から出して、回転固定式構造を第二固定位置から第一非固定位置まで移動させる。
【００１６】
また、事故による不本意な解除が発生するのを防ぐために、図８〜図１０に示すように、保護部１３０をアーム１１２と隣接しかつカバー３４ａからラジアル方向外側に向かって延ばして備える。この保護部１３０はアーム１１２の自由端部１１６と隣接し、かつこの周囲を覆うように配置される。また、保護部１３０は外側ガード部１３２を上記回転方向に沿って部分的に延ばし、かつアーム１１２のラジアル方向外側に配置する。このようにして、アーム１１２のラジアル方向外側に向かう移動を防ぎ、アーム１１２に必要以上の撓みが生じるのを防ぐ。ガード部１３２は隙間１３４（図９参照）を挟んでアーム１１２のラジアル方向外側の上方に配置されるが、この際、ガード部１３２のアーム１１２からのラジアル方向の高さの大きさは、フック部１２０のスロット８０内に挿入されるラジアル方向の深さの大きさよりも大きい（図９参照）。
【００１７】
次に、図１１及び図１２を参照して、本発明に係るさらなる実施の形態について説明する。尚、理解の容易化を図るため、既に説明した部材については、同一の参照番号を用いて説明する。図１１及び図１２は、本発明のさらなる実施の形態に係る回転防止用固定構造１４０について示しており、この構造１４０は第一固定端部１４４と第二自由端部１４６を有する片持ち式アーム１４２を備える。アーム１４２はカバー３４ｂの周囲に沿って部分的に回転方向に延び、本体３６と解除自在式に係合し、上記回転方向に対して垂直方向でアームに沿った方向に回転保持力を加え、そして上述したアーム７４及び１１２と同様に回転固定式構造４２を図４、図６、図９及び図１２に示す第二固定位置に保持する。このアーム１４２は隙間を挟んで離れた端部１４４、１４６の間に延びる。ただし、端部１４４は上記支柱部７８及びヒンジ１１８と同様に、ヒンジ１４８でカバー３４ｂと一体形成される。故に、アーム１４２はヒンジ１４８を支点として折曲線に沿って撓むことができる。尚、この場合折曲線は軸１４に対して平行でかつ上記回転方向及び保持力の方向に対して垂直である。
【００１８】
アーム１４２は自由端部１４６にフック部１５０を備えて本体３６と係合させる。フック部１５０は停止面１５２を軸１４に対してラジアル方向に延ばしかつアーム１４２の端部１４４と対面するように備える。また、本体３６は停止面９８を軸１４に対してラジアル方向に延ばしかつアーム１４２の端部１４４と背面するように備える。図４、図６、図９及び図１２に示すように、停止面１５２と９８は回転固定式構造４２の上記第二固定位置で互いに噛合して、上述した回転保持力を形成する。同様にして、手動式にアーム１４２を上記折曲線に対して撓ませて、停止面１５２を停止面９８の作動範囲からラジアル方向外側に向かって出して、停止面１５２と９８の噛合を外す。従って、回転固定式構造を図４、図６、図９及び図１２に示した上記第二固定位置から図５、図７及び図１０に示した上記第一非固定位置まで回転移動することが可能になる。このため、両端から反対方向にアーム１４２から軸方向に延びる一対のつまみ部１５４と１５６（図１１参照）を備えて、使用者が指を用いてこのつまみ部をつかんで手動式に解除操作を行うことを可能にする。このようにして、これらつまみ部を操作することによってアーム１４２の自由端部１４６をラジアル方向外側に向かって引き出して、回転固定式構造を上記第二固定位置から上記第一非固定位置まで回転移動させる。カバー３４ｂのスロット１００はフック部１５０とラジアル方向に並びかつここにフック部１５０を挿入させる。また、カバーと本体を回転させると、本体３６の隆起した環状リム５８に形成したスロットまたは溝部８０はスロット１００と軸方向に並ぶ。この状態でフック部１５０をスロット１００及び複数のスロット８０の内の１つの中に挿入させると、上記回転保持力が形成されて回転固定式構造は第二固定位置に保持される。同様にして、手動式にアーム１４２を上記折曲線に対して撓ませて、フック部１５０をスロット８０内からラジアル方向外側に向かって引き出して、回転固定式構造を第二固定位置から第一非固定位置まで移動させる。
【００１９】
図１２に示すように、アーム１４２は突出部１５８をフック部１５０から突出させて備える。また、事故による不本意な解除が発生するのを防ぐために、アーム１４２と隣接しかつカバー３４ｂからラジアル方向外側に向かって保護部１６０を延ばして備える。この保護部１６０はアーム１４２の自由端部１４６と隣接し、この周囲を覆うように配置される。図１２に示すように保護部１６０は外側ガード部１６２を有するが、該ガード部１６２のラジアル方向の高さはアーム１４２の上記第二固定位置内での高さよりも実質的に大きくなることはない。またガード部１６２は突出部１５８のラジアル方向外側に配置され、かつ突出部１５８のラジアル方向外側に向かう移動を防ぐように配置されて、アーム１４２がラジアル方向外側に向かって必要以上に撓むことを防ぐ。ガード部１６２は隙間１６４（図１２参照）を間に挟んで突出部１５８のラジアル方向外側の上方に配置されるが、この際、ガード部１６２のラジアル方向の高さの大きさは、フック部１５０のスロット８０内に挿入されるラジアル方向の深さの大きさよりも大きい。このようにして、ガード部１６２はアーム１４２の周囲に並んで配置される。
【００２０】
以上説明したように、本発明の実施の形態に係る回転防止用固定構造７０、１１０または１４０はいずれもアーム７４、１１２または１４２をカバーまたは本体上に固定して取付ける。これらアームは軸１４に対して平行に延びる折曲線７８、１１８または１４８に沿って撓むことができる。また、これらアームはフック部９４、１２０または１５０を備えて、ハウジング部と係合させて回転保持力を形成し、回転固定式構造４２が図４、６、９及び１２に示した上記第二固定位置から図５、７及び１０に示した上記第一非固定位置まで回転するのを防ぐ。本発明の実施の形態に係る回転防止用固定構造７０、１１０または１４０を操作する場合には、操作力をアーム７４、１１２または１４２に沿う方向に作用させると効果的である。反対に、例えばこれらアームに対して横方向に操作力を作用させると、操作力が折曲線７８、１１８または１４８よりもむしろねじれ方向に作用するため、アームをねじる結果になり好ましくない。尚、上述した保持力の作用方向は、折曲線に対して垂直方向に作用する。
【００２１】
以上説明した本発明に係る実施の形態には、様々な同等物、変化物、または修正物が、添付した請求の範囲内において可能であるものと思料する。
【図面の簡単な説明】
【図１】  本発明の実施の形態に係るフィルタハウジングを示す斜視図である。
【図２】  図１に示したフィルタハウジングを分解して示す斜視図である。
【図３】  図１の３−３線に沿った断面図である。
【図４】  図３の４−４線に沿った側面図であり、回転操作後を示す図である。
【図５】  図４と同様の図であるが、反対方向に回転させて固定状態を解除したときを示す図である。
【図６】  図３の６−６線に沿った断面図である。
【図７】  図６と同様の図であるが、反対方向に回転させて固定状態を解除したときを示す図である。
【図８】  本発明の他の実施の形態に係るフィルタハウジングの一部を示す斜視図である。
【図９】  図８の９−９線に沿った断面図である。
【図１０】  図９と同様の図であるが、反対方向に回転させて固定状態を解除したときを示す図である。
【図１１】  本発明のさらなるの実施の形態に係るフィルタハウジングの一部を示す斜視図である。
【図１２】  図１１に示した構造の側面での拡大断面図である。
【符号の説明】
１２                  フィルタハウジング
３４                  カバー（第一ハウジング部）
３６                  本体（第二ハウジング部）
４２                  回転固定式構造
５０                  フック
５４                  止め部（スロット）
７２                  シーソー部
７４、７６            アーム
７８                  支柱部（てこ台）
８０                  スロット
９４、１２０、１５０  フック部
１００                スロット（溝部）
１１２、１４２        片持ち式アーム
１１８、１４８        ヒンジ
１３０、１６０        保護部
１３２、１６２        ガード部
１５８                突出部
【図１】
0003864372.tif 000002
【図２】
0003864372.tif 000003
【図３】
0003864372.tif 000004
【図４】
0003864372.tif 000005
【図５】
0003864372.tif 000006
【図６】
0003864372.tif 000007
【図７】
0003864372.tif 000008
【図８】
0003864372.tif 000009
【図９】
0003864372.tif 000010
【図１０】
0003864372.tif 000011
【図１１】
0003864372.tif 000012
【図１２】
0003864372.tif 000013